(57)【特許請求の範囲】
【請求項１】
表側表面板と裏側表面板との間の内部空間に断熱材を発泡充填させた床用断熱パネルにおいて、厚さ方向に対設された補強鉄板間の間隔部分を載置すべき重量機器の重量に耐える強度を備えた合成樹脂材を介して表裏の表面板間の間隔に応じた所定寸法とした補強部材を、補強鉄板が何れも表面板に接するようにして、前記両表面板間に埋設したことを特徴とする床用断熱パネル。
【請求項２】
厚さ方向に延長する複数の合成樹脂材と該合成樹脂材の上下に対設された補強鉄板との間にも断熱材を発泡充填させたことを特徴とする請求項１に記載の床用断熱パネル。
【発明の詳細な説明】
【０００１】
【発明の属する技術分野】
本発明は、恒温の室や低温の倉庫のように外気温度の影響を少なくした建物の床用断熱パネルに係り、重量機器の設置される位置に埋設した床用断熱パネルの補強部材から損なわれる断熱性を改善した床用断熱パネルに関する。
【０００２】
【従来の技術】
冷凍・冷蔵庫などの断熱・保冷のため、個々にウレタン等の発泡性樹脂断熱材を採用し、硬質の形材によりそれぞれ挟持する断熱パネルを組み合わせて断熱壁、断熱床及び断熱天井などを形成することは、従来より広く実施され、実用に供されている。
【０００３】
たとえば、昭和４６年実用新案出願公告第１６０３２号公報には外板の周辺部に溝形縁部を形成した金属薄板或いは合成樹脂板よりなる外板における前記溝形縁部間に発泡断熱材を充填して断熱壁となし、組合わせて組立式保冷庫などの断熱壁を形成することが示されている。
【０００４】
【発明が解決しようとする課題】
近年においてはこのような断熱パネルにより構成される冷凍・冷蔵庫内に機械等を設置し、冷凍・冷蔵庫内で製品製造等の操業することが多くなっている。しかしながら、上記したような断熱パネルは、前述のとおりウレタン等の発泡性樹脂断熱材と金属薄板等による硬質形材により構成されるものであるから、このような冷凍・冷蔵庫内に大型の機械・設備を設置して操業する場合においては、それらの機器の荷重が直接床面にかかる前記大型機器などの負荷に耐えきれず破損する可能性が高く、また大型機器の荷重によって圧縮されたことによる断熱性の劣化は明らかであって、補強対策が求められていた。
【０００５】
このような従来技術における課題を解消すべく、本発明者等は断熱パネルに関して図２に示すような補強構造を採用した。すなわち、機械設備を設置するにあたり、あらかじめ補強の必要な断熱パネル内に補強鉄板２,２と鉄パイプ３,３を溶接により接合し、鉄パイプ３による熱橋による断熱の阻害及び熱橋に起因する結露などを防止するための断熱用保温板４と組み合わせた補強部材をパネル表面板１,１の間に挿入し、ウレタン等の発泡性樹脂断熱材５を注入発泡させ充填することにより断熱パネルの負荷に対する補強と保温・保冷を確保するものである。
【０００６】
ところが断熱・保温性を確保するための前記断熱用保温材４は特別な作用が求められるものであることから高価であり、また補強部材である鉄パイプ３はその溶接を含めて作業現場における作業性が低いこととならざるを得ないことが更に解決すべき問題であることが知られ、これらの点から必ずしも好ましいものでないことが知られた。
【０００７】
【課題を解決するための手段】
本発明は、上記したような課題を解決することについて検討を重ねて創案されたものであって、以下の如くである。
【０００８】
（１）表側表面板と裏側表面板との間の内部空間に断熱材を発泡充填させた床用断熱パネルにおいて、厚さ方向に対設された補強鉄板間の間隔部分を載置すべき重量機器の重量に耐える強度を備えた合成樹脂材を介して表裏の表面板間の間隔に応じた所定寸法とした補強部材を、補強鉄板が何れも表面板に接するようにして、前記両表面板間に埋設したことを特徴とする床用断熱パネル。
【０００９】
厚さ方向に延長する複数の合成樹脂材と該合成樹脂材の上下に対設された補強鉄板との間にも断熱材を発泡充填させたことを特徴とする請求項１に記載の床用断熱パネル。
【００１１】
表側表面板と裏側表面板との間の内部空間に断熱材を発泡充填させた床用断熱パネルにおいて、厚さ方向に対設された補強鉄板間の間隔部分を載置すべき重量機器の重量に耐える強度を備えた合成樹脂材を介して所定寸法とした補強部材を、前記両表面板間に埋設したことにより、両表面板間が補強鉄板と合成樹脂材とにより一体化した補強構造によって的確に補強され、重量機器の重量に有効に耐え熱橋も防止される床用断熱パネルを提供する。
【００１２】
厚さ方向において対設された合成樹脂材と該合成樹脂材の上下に対設された補強鉄板との間にも断熱材を発泡充填させたことにより厚さ方向において対設された合成樹脂材および補強鉄板が表側および裏側表面板間の発泡充填層と有効に一体化されて相当の重量を有する機器に対する安定な支持作用を得しめる。
【００１３】
厚さ方向において対設された合成樹脂材の上下に対設された補強鉄板が何れも表裏の表面板に接着されたことにより複数の合成樹脂材を配設して構成した支持部が冷凍、冷蔵庫内における安定な重量機器設定用断熱パネルを提供せしめる。
【００１４】
すなわち、上記のようにすることにより断熱性能と断熱パネルの補強を充分に確保すると共に現場作業における作業性を有効に高めることができ、重量物を載架したような条件下においても安定した支持状態と的確な断熱特性を確保することができる。ここで合成樹脂材は合成樹脂の押出材でもよく、板材等からの切出材、削出材でもよい。
【００１５】
【実施例】
図１は、上記したような本発明によるものの１実施例を示した部分的な断面図であって、上述した上下の補強鉄板２，２と合成樹脂押出材６，６を接着剤により接合して補強部材とすることにより鉄薄板やアルミ薄板材などである上下のパネル表面板１，１間に介装挿入し、ウレタン等の発泡性樹脂断熱材５を注入発泡させて充填したものであって、断熱パネルとしての負荷に対する補強性と保温・保冷性とを共に確保させるようにしたものである。前記合成樹脂材は、たとえばポリ塩化ビニル（ＰＶＣ）、ＡＢＳ樹脂、ポリスチレン、ポリプロピレン（ＰＰ）、ポリカーボネート、アクリル、ポリアセタール等が使用できる。
【００１６】
即ち上記したような本発明の構成によるものは冷凍・冷蔵庫用補強部材として従来技術において熱橋となっていた鉄パイプを合成樹脂材６に変えることにより、断熱性能が充分に向上されると共に、断熱性能を保持するための高価なクッション性断熱用保温材を不用となし、しかも前記した合成樹脂押出材は作業現場においての切断及び鉄板との接合の如きが接着剤により容易且つ的確に行うことができるので大幅な作業時間の短縮を図ることができるなどの利点が共に確保される。
【００１７】
【発明の効果】
以上説明したような本発明によるならば、恒温室や低温倉庫などにおける床用断熱パネルにおける構成を簡易化すると共に適切な強度性を確保した条件下において好ましい断熱性を有効に図らしめ、しかも現場作業における工数簡易化と接着剤などによる効率的且つ簡易で的確な作業性を確保した作業条件により能率的で有効な機構を構成し得るなどの効果を有しており、工業的にその効果の大きい発明である。
【図面の簡単な説明】
【図１】本発明による冷凍・冷蔵庫用補強部材の部分的な要部構造を示した断面説明図である。
【図２】断熱用保温材を用いて本発明者側で試作検討した冷凍・冷蔵庫用補強部材の部分的な断面説明図である。
【符号の説明】
１  パネル表面板
２  補強鉄板
３  鉄パイプ
４  断熱用保温材
５  発泡性樹脂断熱材
６  合成樹脂材
【図１】
0003885628.tif 000002
【図２】
0003885628.tif 000003